(57)【特許請求の範囲】
【請求項１】
メール、Ｗｅｂコンテンツ及びＢＭＬコンテンツの少なくともいずれかの形式のコンテンツを取得して表示するコンテンツ表示手段と、
前記コンテンツと異なる形式の所定のメディアを再生する為のメディア再生手段と、
前記コンテンツ表示手段において取得されたコンテンツ中に前記所定のメディアの再生を指示する指示情報が含まれている場合、前記メディア再生手段に対して前記指示情報で指定されたメディアを指定して前記メディア再生手段を起動させるメディア管理手段と、
装置外部より提供され、前記メディアの再生と連動して再生する為の蓄積型情報を蓄積保存する情報蓄積手段と、
前記蓄積型情報を再生する蓄積型情報再生手段と、
前記蓄積型情報の再生においてリンク先ＵＲＬの表示指示が行われたら、前記リンク先ＵＲＬに該当する情報を取得して表示するＵＲＬ情報表示手段と、を備え、
前記メディア管理手段は、前記メディア再生手段を起動させる場合に、
（１）前記情報蓄積手段からリンク先ＵＲＬの表示指示が不可能な第一の蓄積型情報を選択して前記蓄積型情報再生手段に再生させ、
（２）前記第一の蓄積型情報の再生後に前記メディア再生手段を起動して前記指定されたメディアを再生させ、
（３）前記指定されたメディアの再生終了後に前記情報蓄積手段から前記第一の蓄積型情報に関連する蓄積型情報であってリンク先ＵＲＬの表示指示が可能な第二の蓄積型情報を選択して前記蓄積型情報再生手段に再生させる、
という一連の処理を実行することを特徴とする端末装置。
【請求項２】
前記コンテンツ表示手段はメールを送受信するためのメール送受信手段であることを特徴とする請求項１に記載の端末装置。
【請求項３】
前記コンテンツ表示手段はＷｅｂコンテンツを閲覧するためのＷｅｂコンテンツ閲覧手段であることを特徴とする請求項１に記載の端末装置。
【請求項４】
前記メディア再生手段がＴＶやラジオ等の放送を再生する機能を有することを特徴とする請求項１から３のいずれかに記載の端末装置。
【請求項５】
前記蓄積型情報は所定の属性情報を有しており、前記メディア管理手段は前記所定の属性情報に基づいて前記蓄積型情報を選択することを特徴とする請求項１から４のいずれかに記載の端末装置。
【請求項６】
前記所定の属性情報が、再生時間帯の情報を含むことを特徴とする請求項５に記載の端末装置。
【請求項７】
前記所定の属性情報が、前記指定されたメディアのジャンルに関する情報を含むことを特徴とする請求項５または６に記載の端末装置。
【請求項８】
前記メディア管理手段が、どの蓄積型情報が再生されたかを示す情報を提供することを特徴とする請求項１から７のいずれかに記載の端末装置。
【請求項９】
前記メディア管理手段が、どの蓄積型情報においてリンク先ＵＲＬの表示指示が行われかを示す情報を提供することを特徴とする請求項１から８のいずれかに記載の端末装置。
【請求項１０】
前記メディア管理手段は、前記指示情報に含まれるメディアの再生時刻或いは再生時間に基づいて、前記メディア再生手段を即時に起動させるか否かを判断することを特徴とする請求項１から９のいずれかに記載の端末装置。
【請求項１１】
前記メディア管理手段は、前記情報蓄積手段に蓄積されたリンク先ＵＲＬの表示指示が可能な蓄積型情報を、リンク先ＵＲＬの表示指示が不可能な第一の蓄積型情報に変換して再生させる機能をさらに有することを特徴とする請求項１から１０のいずれかに記載の端末装置。
【請求項１２】
メール、Ｗｅｂコンテンツ及びＢＭＬコンテンツの少なくともいずれかの形式のコンテンツを取得して表示するコンテンツ表示手段と、前記コンテンツと異なる形式の所定のメディアを再生する為のメディア再生手段と、前記コンテンツ表示手段において取得されたコンテンツ中に前記所定のメディアの再生を指示する指示情報が含まれている場合、前記メディア再生手段に対して前記指示情報で指定されたメディアを指定して前記メディア再生手段を起動させるメディア管理手段と、装置外部より提供される、前記メディアの再生と連動して再生する為の蓄積型情報を蓄積保存する情報蓄積手段と、前記蓄積型情報を再生する蓄積型情報再生手段と、前記蓄積型情報の再生においてリンク先ＵＲＬの表示指示が行われたら、前記リンク先ＵＲＬに該当する情報を取得して表示するＵＲＬ情報表示手段と、を有する端末装置と、
前記蓄積型情報を提供する情報提供手段と、
前記コンテンツを提供するためのコンテンツ提供手段と、を有し、
前記情報提供手段と前記コンテンツ提供手段とがネットワーク上に接続されて構成される情報提供システムであって、
前記端末装置における前記メディア管理手段は、前記メディア再生手段を起動させる場合に、
（１）前記情報蓄積手段からリンク先ＵＲＬの表示指示が不可能な第一の蓄積型情報を選択して前記蓄積型情報再生手段に再生させ、
（２）前記第一の蓄積型情報の再生後に前記メディア再生手段を起動して前記指定されたメディアを再生させ、
（３）前記指定されたメディアの再生終了後に前記情報蓄積手段から前記第一の蓄積型情報に関連する蓄積型情報であってリンク先ＵＲＬの表示指示が可能な第二の蓄積型情報を選択して前記蓄積型情報再生手段に再生させる、
という一連の処理を実行すること、
を特徴とする、メディアの再生に連動した情報提供システム。
【請求項１３】
前記情報提供手段は、ＰＵＳＨ型配信により前記端末装置に蓄積型情報を提供することを特徴とする請求項１２に記載のメディアの再生に連動した情報提供システム。
【請求項１４】
前記情報提供手段が、所定の時間帯に蓄積型情報を提供することを特徴とする請求項１２または１３に記載のメディアの再生に連動した情報提供システム。
【請求項１５】
前記コンテンツ提供手段は、ＰＵＳＨ型配信により前記端末装置にコンテンツを提供することを特徴とする請求項１２から１４のいずれかに記載のメディアの再生に連動した情報提供システム。
【請求項１６】
前記コンテンツ提供手段は、メールに前記指示情報を含めて提供することを特徴とする請求項１２から１５のいずれかに記載のメディアの再生に連動した情報提供システム。
【請求項１７】
前記コンテンツ提供手段は、コンテンツに前記指示情報を含めて提供することを特徴とする請求項１２から１５のいずれかに記載のメディアの再生に連動した情報提供システム。
【請求項１８】
前記コンテンツ提供手段は、デジタル放送波に前記指示情報を含めて提供することを特徴とする請求項１２から１５のいずれかに記載のメディアの再生に連動した情報提供システム。
【請求項１９】
前記メディア管理手段が、どの蓄積型情報が再生されたかを示す情報である再生情報を提供し、前記情報提供手段が前記再生情報を取得して管理することを特徴とする請求項１２から１８のいずれかに記載のメディアの再生に連動した情報提供システム。
【請求項２０】
前記メディア管理手段が、どの蓄積型情報においてリンク先ＵＲＬの表示指示が行われたかを示す情報であるＵＲＬ表示指示情報を提供し、前記情報提供手段が前記ＵＲＬ表示指示情報を取得して管理することを特徴とする請求項１２から１９のいずれかに記載のメディアの再生に連動した情報提供システム。
【請求項２１】
前記メディア管理手段が、どの蓄積型情報が再生されたかを示す情報である再生情報、及び、どの蓄積型情報においてリンク先ＵＲＬの表示指示が行われたかを示す情報であるＵＲＬ表示指示情報を提供し、前記端末装置が前記再生情報と前記ＵＲＬ表示指示情報とを蓄積し、一括送信することにより、前記情報提供手段が前記再生情報と前記ＵＲＬ表示指示情報とを取得して管理することを特徴とする請求項１２から２０のいずれかに記載のメディアの再生に連動した情報提供システム。
【請求項２２】
動画、静止画、音声、音楽、文字の少なくとも一つから構成されるメディアの再生を指示する指示情報を取得する機能と、
前記取得した指示情報に基づいて、
装置外部より提供されて蓄積保存された、前記メディアの再生と連動して再生する為の蓄積型情報からリンク先ＵＲＬの表示指示が不可能な第一の蓄積型情報を選択して再生させる機能と、
前記第一の蓄積型情報の再生後に前記所定のメディアを再生させるためのメディア再生手段を起動して前記所定のメディアを再生させる機能と、
前記所定のメディアの再生終了後に、前記蓄積保存された蓄積型情報から前記第一の蓄積型情報に関連する蓄積型情報であってリンク先ＵＲＬの表示指示が可能な第二の蓄積型情報を選択して再生させる機能と、をコンピュータに実現させるためのプログラム。
【請求項２３】
メール、Ｗｅｂコンテンツ及びＢＭＬコンテンツの少なくともいずれかの形式のコンテンツを取得して表示するコンテンツ表示手段と、前記コンテンツと異なる形式の所定のメディアの再生の指示を受け付けるメディア再生指示受付手段と、前記所定のメディアを再生するメディア再生手段と、前記メディアの再生と連動して再生する為の蓄積型情報を蓄積する情報蓄積手段と、前記蓄積型情報を再生する蓄積型情報再生手段と、前記蓄積型情報の再生においてリンク先ＵＲＬの表示指示が行われたら前記リンク先ＵＲＬに該当する情報を取得して表示するＵＲＬ情報表示手段と、前記蓄積型情報の再生において前記リンク先ＵＲＬの表示指示が行われたことを示す表示指示情報を記憶手段に蓄積させる表示指示情報蓄積手段と、を備える端末装置に対して前記蓄積型情報を配信する為の情報配信方法であって、
所定の時間帯に前記蓄積型情報を前記端末装置に配信する手順と、
前記端末装置において、前記配信された蓄積型情報を取得して前記情報蓄積手段に蓄積し、前記情報蓄積手段からリンク先ＵＲＬの表示指示が不可能な第一の蓄積型情報を選択して再生させ、前記第一の蓄積型情報の再生後に前記メディア再生手段を起動して前記所定のメディアを再生させ、前記所定のメディアの再生終了後に前記情報蓄積手段から前記第一の蓄積型情報に関連する蓄積型情報であって前記リンク先ＵＲＬの表示指示が可能な第二の蓄積型情報を選択して再生させ、前記表示指示情報を取得する手順と、
前記端末装置において取得された表示指示情報を収集する手順と、
を含むことを特徴とする情報提供方法。
【発明の詳細な説明】
【技術分野】
【０００１】
本発明は、広告等の情報を提供するためのシステムに関するものであり、また、該情報提供システムを実現するための端末装置及びプログラムに関するものである。
【背景技術】
【０００２】
現在、放送やインターネットを利用した広告配信サービスやＰＵＳＨ型配信サービスには様々な形態があり、例えば以下のようなものが開示されている。
【０００３】
特許文献１には、インターネットを利用した広告方法及び装置が開示されている。オンラインとオフラインの状態によって差別化した広告を提供し、全てのユーザに既にコンピュータに内蔵されている広告を迅速に提供し、ユーザの広告利用実績によって報奨金を提供し、多様な広告形態による広告効果を勘案して差別化した料金体系を提供する技術に関するものである。そして一つの形態として、アプリケーションプログラムの起動時にスプラッシュ広告を表示させることによって広告を提供する方法が提案されている。
【０００４】
また、特許文献２には、デジタルビデオレコーダにおけるテレビ広告の視聴率を増加させるための方法が開示されている。ＴＶ番組を保存記憶する手段と、ＴＶ番組とは別ルート（例えばインターネット）で受信した広告データ（蓄積型情報）を保存する蓄積保存する手段と、ＴＶ番組を再生するときにＴＶ番組の再生の前あるいは再生後に、蓄積保存されてある広告を表示させる手段とを備えた装置により広告を提供する方法が提案されている。
【０００５】
ＰＵＳＨ型配信サービスとしては、例えば、放送とインターネットを融合して番組を告知するＰＵＳＨ型配信サービスが開示されている（特許文献３）。ＢＳデジタル放送において、ＰＣや携帯電話にメールを送ることにより、放送局が放送番組をユーザに告知する方法が記載されている。この方法では、放送局がユーザから視聴したい番組の登録を受け、その番組の放送日前日等に当該番組の登録を行った全ユーザに気付けメールを送信する。これは、ユーザが所望の番組の視聴を忘れることを防止するのに効果がある。
【０００６】
【特許文献１】特開２００１−２９１０１６
【特許文献２】Ｗ００１／４７２７９
【特許文献３】特開２００３−１３４０６７
【発明の開示】
【発明が解決しようとする課題】
【０００７】
最近、携帯端末においてもＴＶやラジオ等のメディア機能が搭載されており、ＰＵＳＨ配信メッセージにより番組通知等が行われている。ＰＵＳＨ配信メッセージやコンテンツに含まれる所定のタグ情報をユーザが指定することで、メディアコンテンツを起動できる仕組みがある。しかし、それらからＴＶ等のメディアを起動させるだけでは、携帯端末機にＴＶやラジオ等のメディア機器の機能を搭載することによる負担やコストの増加はあっても、収入面に関して通信側（携帯キャリア側）のメリットがないという問題点があった。
【０００８】
本発明は、上述の問題点に鑑み、ＴＶ等のメディアを起動することに付随して通信側の収益の増加に貢献する蓄積型情報の提供方法および端末装置を提供することを目的とする。
【課題を解決するための手段】
【０００９】
上記目的を達成するために、本発明では、メール、Ｗｅｂコンテンツ及びＢＭＬコンテンツの少なくともいずれかの形式のコンテンツを取得して表示するコンテンツ表示手段と、前記コンテンツと異なる形式の所定のメディアを再生する為のメディア再生手段と、前記コンテンツ表示手段において取得されたコンテンツ中に前記所定のメディアの再生を指示する指示情報が含まれている場合、前記メディア再生手段に対して前記指示情報で指定されたメディアを指定して前記メディア再生手段を起動させるメディア管理手段と、装置外部より提供され、前記メディアの再生と連動して再生する為の蓄積型情報を蓄積保存する情報蓄積手段と、前記蓄積型情報を再生する蓄積型情報再生手段と、前記蓄積型情報の再生においてリンク先ＵＲＬの表示指示が行われたら、前記リンク先ＵＲＬに該当する情報を取得して表示するＵＲＬ情報表示手段と、を備え、前記メディア管理手段は、前記メディア再生手段を起動させる場合に、（１）前記情報蓄積手段からリンク先ＵＲＬの表示指示が不可能な第一の蓄積型情報を選択して前記蓄積型情報再生手段に再生させ、（２）前記第一の蓄積型情報の再生後に前記メディア再生手段を起動して前記指定されたメディアを再生させ、（３）前記指定されたメディアの再生終了後に前記情報蓄積手段から前記第一の蓄積型情報に関連する蓄積型情報であってリンク先ＵＲＬの表示指示が可能な第二の蓄積型情報を選択して前記蓄積型情報再生手段に再生させる、という一連の処理を実行することを特徴とする端末装置を提供する。
【００１０】
本発明の上述の構成によれば、端末装置内に予め蓄積保存された蓄積型情報を、メディアの再生とともに再生できるため、ユーザはメディアの再生時に必ず蓄積型情報を視聴する。さらにクリックすることにより広告のサイトの閲覧にもつながる。
【００１１】
本発明では、前記コンテンツ表示手段はメールを送受信するためのメール送受信手段であることを特徴とする。或いは、前記コンテンツ表示手段はＷｅｂコンテンツを閲覧するためのＷｅｂコンテンツ閲覧手段であることを特徴とする。
【００１２】
また、前記メディア再生手段がＴＶやラジオ等の放送を受信する放送受信手段であることを特徴とする。
【００１３】
また、前記蓄積型情報は所定の属性情報を有しており、前記メディア管理手段は前記所定の属性情報に基づいて前記蓄積型情報を選択することを特徴とする。さらに、前記所定の属性情報が、再生時間帯の情報を含むことを特徴とする。また、前記所定の属性情報が、前記指定されたメディアのジャンルに関する情報を含むことを特徴とする。
【００１４】
また、前記メディア管理手段が、どの蓄積型情報が再生されたかを示す情報を提供することを特徴とする。また、前記メディア管理手段が、どの蓄積型情報においてリンク先ＵＲＬの表示指示が行われたかを示す情報を提供することを特徴とする。
【００１５】
また、前記メディア管理手段は、前記指示情報に含まれるメディアの再生時刻或いは再生時間に基づいて、前記メディア再生手段を即時に起動させるか否かを判断することを特徴とする。
【００１６】
また、前記メディア管理手段は、前記情報蓄積手段に蓄積されたリンク先ＵＲＬの表示指示が可能な蓄積型情報を、リンク先ＵＲＬの表示指示が不可能な第一の蓄積型情報に変換して再生させる機能をさらに有することを特徴とする。
【００１７】
また、本発明では、メール、Ｗｅｂコンテンツ及びＢＭＬコンテンツの少なくともいずれかの形式のコンテンツを取得して表示するコンテンツ表示手段と、前記コンテンツと異なる形式の所定のメディアを再生する為のメディア再生手段と、前記コンテンツ表示手段において取得されたコンテンツ中に前記所定のメディアの再生を指示する指示情報が含まれている場合、前記メディア再生手段に対して前記指示情報で指定されたメディアを指定して前記メディア再生手段を起動させるメディア管理手段と、装置外部より提供される、前記メディアの再生と連動して再生する為の蓄積型情報を蓄積保存する情報蓄積手段と、前記蓄積型情報を再生する蓄積型情報再生手段と、前記蓄積型情報の再生においてリンク先ＵＲＬの表示指示が行われたら、前記リンク先ＵＲＬに該当する情報を取得して表示するＵＲＬ情報表示手段と、を有する端末装置と、前記蓄積型情報を提供する情報提供手段と、前記コンテンツを提供するためのコンテンツ提供手段と、を有し、前記情報提供手段と前記コンテンツ提供手段とがネットワーク上に接続されて構成される情報提供システムであって、前記端末装置における前記メディア管理手段は、前記メディア再生手段を起動させる場合に、（１）前記情報蓄積手段からリンク先ＵＲＬの表示指示が不可能な第一の蓄積型情報を選択して前記蓄積型情報再生手段に再生させ、（２）その後に前記メディア再生手段を起動して前記指定されたメディアを再生させ、（３）前記指定されたメディアの再生終了後に前記情報蓄積手段から前記第一の蓄積型情報に関連する蓄積型情報であってリンク先ＵＲＬの表示指示が可能な第二の蓄積型情報を選択して前記蓄積型情報再生手段に再生させる、という一連の処理を実行すること、を特徴とする、メディアの再生に連動した情報提供システムを提供する。
【００１８】
また、前記情報提供手段は、ＰＵＳＨ型配信により前記端末装置に蓄積型情報を提供することを特徴とする。
【００１９】
また、前記情報提供手段が、所定の時間帯に蓄積型情報を提供することを特徴とする。
【００２０】
また、前記コンテンツ提供手段は、ＰＵＳＨ型配信により前記端末装置にコンテンツを提供することを特徴とする。また、前記コンテンツ提供手段は、メールに前記指示情報を含めて提供することを特徴とする。また、前記コンテンツ提供手段は、コンテンツに前記指示情報を含めて提供することを特徴とする。また、前記コンテンツ提供手段は、デジタル放送波に前記指示情報を含めて提供することを特徴とする。
【００２１】
また、前記メディア管理手段が、どの蓄積型情報が再生されたかを示す情報である再生情報を提供し、前記情報提供手段が前記再生情報を取得して管理することを特徴とする。また、前記メディア管理手段が、どの蓄積型情報においてリンク先ＵＲＬの表示指示が行われたかを示す情報であるＵＲＬ表示指示情報を提供し、前記情報提供手段が前記ＵＲＬ表示指示情報を取得して管理することを特徴とする。
【００２２】
また、前記メディア管理手段が、どの蓄積型情報が再生されたかを示す情報である再生情報、及び、どの蓄積型情報においてリンク先ＵＲＬの表示指示が行われたかを示す情報であるＵＲＬ表示指示情報を提供し、前記端末装置が前記再生情報と前記ＵＲＬ表示指示情報とを蓄積し、一括送信することにより、前記情報提供手段が前記再生情報と前記ＵＲＬ表示指示情報とを取得して管理することを特徴とする。
【００２３】
また、本発明では、所定のメディアの再生を指示する指示情報を取得する機能と、前記取得した指示情報に基づいて、装置外部より提供されて蓄積保存された、前記メディアの再生と連動して再生する為の蓄積型情報からリンク先ＵＲＬの表示指示が不可能な第一の蓄積型情報を選択して再生させる機能と、前記第一の蓄積型情報の再生後にメディアを再生させるためのメディア再生手段を起動して前記所定のメディアを再生させる機能と、前記所定のメディアの再生終了後に、前記蓄積保存された蓄積型情報から前記第一の蓄積型情報に関連する蓄積型情報であってリンク先ＵＲＬの表示指示が可能な第二の蓄積型情報を選択して再生させる機能と、をコンピュータに実現させるためのプログラムを提供する。
【００２４】
また、本発明では、蓄積型情報を蓄積する情報蓄積手段と、メール、Ｗｅｂコンテンツ及びＢＭＬコンテンツの少なくともいずれかの形式のコンテンツを取得して表示するコンテンツ表示手段と、前記コンテンツと異なる形式の所定のメディアの再生の指示を受け付けるメディア再生指示受付手段と、前記所定のメディアを再生するメディア再生手段と、前記メディアの再生と連動して再生する為の蓄積型情報を蓄積する情報蓄積手段と、前記蓄積型情報を再生する蓄積型情報再生手段と、前記蓄積型情報の再生においてリンク先ＵＲＬの表示指示が行われたら前記リンク先ＵＲＬに該当する情報を取得して表示するＵＲＬ情報表示手段と、前記蓄積型情報の再生において前記リンク先ＵＲＬの表示指示が行われたことを含む表示指示情報を取得する表示指示情報取得手段を備える端末装置に対して蓄積型情報を配信する為の情報提供方法であって、所定の時間帯に前記蓄積型情報を取得して前記端末装置に配信する手順と、前記端末装置において配信された蓄積型情報を前記情報蓄積手段に蓄積し、前記情報蓄積手段からリンク先ＵＲＬの表示指示が不可能な第一の蓄積型情報を選択して再生させ、前記第一の蓄積型情報の再生後に前記メディア再生手段を起動して前記所定のメディアを再生させ、前記所定のメディアの再生終了後に前記情報蓄積手段から前記第一の蓄積型情報に関連する蓄積型情報であって前記リンク先ＵＲＬの表示指示が可能な第二の蓄積型情報を選択して再生させ、前記表示指示情報を取得する手順と、前記端末装置において取得された表示指示情報を収集する手順と、を含むことを特徴とする情報提供方法を提供する。
【発明の効果】
【００２７】
従って、本発明によればＴＶ等のメディアを起動することに付随して通信側の収益の増加に貢献する蓄積型情報の提供方法および端末装置を提供することができる。
【発明を実施するための最良の形態】
【００２８】
以下、本発明に係る情報提供システムおよび該情報提供システムを実現するための端末装置及びプログラムについて図を参照して説明する。本実施形態においては、端末装置に提供される情報（蓄積型情報）を広告コンテンツとして説明を行うが、該蓄積型情報は、広告コンテンツに限定されるものではない。ユーザが端末装置でメディアを再生する際に、該情報が表示されることにより、キャリア側にとって何らかの収入源となりうるような情報であればよい。図１は本発明の実施形態の携帯電話機１０の外観図を示し、図２は携帯電話機１０のハードウェア構成を表す機能ブロック図である。図１に示すように、携帯電話機１０の筐体の操作面側には、液晶ディスプレイ１１１と、操作部とが設けられている。操作部には、ダイヤルボタン１１４、方向指示キー１１５、オンフックボタン１２１、オフフックボタン１２２が含まれる。また、操作面側上部には、スピーカ１１９用の孔と、アンテナ１０５とが設けられ、下部にはマイク１１８用の孔が設けられている。本実施形態では配信された広告コンテンツを表示する端末装置として携帯電話を一例として用いるが、携帯電話以外にも様々な端末装置上で実現することができる。
【００２９】
図２の機能ブロック図について説明する。携帯電話機１０は、装置全体を制御するＣＰＵ１００を有する。ＣＰＵ１００は、ＲＯＭ１０１、ＲＡＭ１０２、フラッシュメモリ１０３、無線通信制御部１０４、放送受信部１０６、液晶ディスプレイ１１１、入力インタフェース部１１３、および音声制御部１１７に接続されている。また、無線通信制御部１０４にはアンテナ１０５が、放送受信部１０６にはアンテナ１０７が、入力インタフェース部１１３には操作部の各種キーが、さらに音声制御部１１７にはマイク１１８およびスピーカ１１９が接続されている。
【００３０】
ＲＯＭ１０１は、ＣＰＵ１００により実行される各種プログラムおよび固定的なデータを格納した不揮発性の読み出し専用メモリである。ＲＡＭ１０２は、ＣＰＵ１００の作業領域およびデータの一時記憶領域を提供する書き込み可能なメモリである。フラッシュメモリ１０３は、追加的なアプリケーションプログラムや各種データを記憶する再書き込み可能な不揮発性メモリである。本発明の実施形態により配信される広告コンテンツはＲＡＭ１０２またはフラッシュメモリ１０３に記憶・蓄積される。
【００３１】
無線通信制御部１０４は、アンテナ１０５を介して基地局との間で音声およびデータの無線通信（送受信）を行う機能を有する。液晶ディスプレイ１１１は表示画面を有する表示部を構成する。入力インタフェース部１１３は、ダイヤルボタン１１４や方向指示キー１１５等の入力操作を受け付ける機能を有する。音声制御部１１７には、マイク１１８およびスピーカ１１９が接続される。音声制御部１１７は、マイク１１８およびスピーカ１１９を介して音声の入出力を制御する。
【００３２】
ＲＯＭ１０１は、ブラウザ、メーラー、ＴＶやラジオ等の各種メディアを表示・再生するためのＶｉｅｗｅｒ、ＳＭＩＬ（Synchronized Multimedia Integration Language）プレイヤ、その他携帯電話機１０に使用する各種アプリケーションを格納している。ブラウザの起動に伴い携帯電話機１０は無線通信制御部１０４を介して通信ネットワークと接続され各種コンテンツの閲覧が可能になる。ＴＶ用のＶｉｅｗｅｒの起動に伴い携帯電話機１０はアンテナ１０７を介して受信した信号を放送受信部１０６により映像処理化して液晶ディスプレイ１１１に表示させる。ＳＭＩＬプレイヤはＳＭＩＬで記述されたコンテンツを表示・再生する機能を有する。
【００３３】
ＳＭＩＬについて説明する。ＳＭＩＬは、Ｗ３Ｃ標準として勧告されている言語であり、ＸＭＬで記述されている。動画、静止画、音声、音楽、文字など様々な形式のデータの再生を制御して同期させるための言語である。どの位置に、どのタイミングで、どのくらいの時間表示するのかといったことを制御することができる。広告コンテンツをＳＭＩＬにより作成した場合、テレビ映像のように動画・音声・文字等の情報を表示させることができる。すなわち、ＳＭＩＬを解釈することができるブラウザ、各種プレイヤ等により表示可能である。
【００３４】
ここで、「media:（メディアコロン）」について説明する。「media:」はメディアを起動させるための各種属性情報を含むスキームであり、携帯電話１０に配信される各種メッセージやコンテンツ中に例えばタグとして含められる。例えば、「media:」は、ＰＵＳＨ型配信によるメールや、ブラウザによりコンテンツを閲覧する際に携帯電話機１０に取り込まれる。或いは、「media:」は、デジタル放送により配信されるデータ（ＢＭＬ（Broadcast Markup Language）で記述されているもの）等、その他様々な方法で携帯電話機１０に取り込まれてもよい。
【００３５】
図３は、携帯電話機１０に搭載されている各種アプリケーションの連携を説明するためのブロック図である。media: Center２００、メディアビューア２１０、メーラー２２０、ブラウザ２３０、ＳＭＩＬプレイヤ２４０はそれぞれＲＯＭ１０１に格納されている。各アプリケーションはＣＰＵ１００の指令に基づいて機能する。
【００３６】
media: Center２００は、上述した「media:」に含まれる各種属性情報に基づいて複数のアプリケーションを連動させるための機能を有する。メーラー２２０は、メールを送受信するためのアプリケーションであり、受信メールに「media:」が含まれる場合がある。ブラウザ２３０は、コンテンツを閲覧するためのアプリケーションであり、コンテンツダウンロード時のデータに「media:」が含まれている場合がある。また、メディアビューア２１０は、ＴＶやラジオ或いはその他のメディアのコンテンツを表示させるためのアプリケーションである。メディアビューア２１０は、ＢＭＬを解釈するためのブラウザの機能も有しており、ＴＶ等のデジタル放送（１セグ放送）の表示が可能である。受信したＢＭＬデータの中に「media:」が含まれている場合がある。ＣＰＵ１００は、各アプリケーション（メーラー２２０、ブラウザ２３０、メディアビューア２１０）において「media:」の認識があった場合、media: Center２００を起動させる。
【００３７】
media: Center２００は、メディアビューア２１０を起動させ所望の番組等を表示させたり、ＳＭＩＬプレイヤ２４０を起動させてコンテンツを再生させたり、ＲＡＭ１０２或いはフラッシュメモリ１０３に蓄積された広告コンテンツを選択して取得する等の機能を有する。また、どの広告コンテンツを「表示した」か、どの広告コンテンツを「クリックした」かを判断してそれを情報として管理する機能を有する。なお、ここでいう「クリック」とは、広告コンテンツ内のリンク先ＵＲＬの表示を指示して、当該ＵＲＬのコンテンツの取得及び表示を促す処理のことを指し、実際にマウス等によりクリックする動作のみを指すものではない。広告主あるいはキャリアは、広告コンテンツに対する「表示した」「クリックした」という情報を利用して広告視聴率等を管理することができる。このように本発明の実施形態においては、media: Center２００を設けている。media: Center２００を携帯電話機１０に搭載することによって、既存のアプリケーションの個々に機能を拡張する必要がなくなるという利点がある。
【００３８】
図４は、本発明に係る情報提供システムを説明するためのネットワーク構成を示す図である。放送局１４は放送用の電波を送信する。放送局１４からの放送がアナログ放送であってもデジタル放送であっても携帯電話機１０は受信可能である。携帯電話機１０は基地局１２を経由してネットワーク１３に接続される。ネットワーク１３は、インターネットや電話回線網等の様々なネットワークであり、他の電話機との通話、メールサーバを介してのメール送受信、データ送受信等を可能にするものである。広告配信サーバ１６は、携帯電話機１０に配信するための広告コンテンツを有している。メッセージ送信サーバ１８は、ＰＵＳＨ型配信サービス等により「media:」を含むメールを送信することができる。Webサーバ２０は携帯電話向けのコンテンツを有している。携帯電話機１０は「media:」を含むコンテンツをＷｅｂサーバ２０からダウンロードすることができる。広告配信サーバ１６、メッセージ送信サーバ１８、Webサーバ２０は放送局１４に備えられていてもよいし、キャリアに備えられていてもよいし、ネットワーク中の任意の場所に備えられていてもよい。
【００３９】
広告配信サーバ１６は、ＰＵＳＨ型配信により広告コンテンツを携帯電話機１０に配信することができる。例えば、深夜の時間帯に広告コンテンツを携帯電話機１０に配信することができる。深夜の時間帯に広告コンテンツを配信することで、ユーザが携帯電話機１０をほとんど使用しない時間帯に、携帯電話機１０内に広告コンテンツを蓄積させることができるので、ユーザが不快に感じることがない。広告配信サーバ１６はまた、携帯電話機１０から広告コンテンツの「表示した」という情報（どの蓄積型情報が再生されたかを示す再生情報）及び「クリックした」という情報（リンク先ＵＲＬの表示指示が行われたかを示すＵＲＬ表示指示情報）を取得して、データベースとして蓄積することができる。したがって、「表示した」「クリックした」回数に基づいてキャリア側が広告主側から料金を徴収すれば、キャリア側が利益を得ることができる（アフィリエイトを行うことができる）。広告主も、携帯電話機１０に配信された自身の広告コンテンツが確実に視聴されたかどうかを知ることができる。
【００４０】
広告コンテンツは、例えばＳＭＩＬで記述されておりＳＭＩＬプレイヤ２４０で再生される（スプラッシュされる）。また、ＢＭＬで記述されていてもよく、その場合はＢＭＬ用のブラウザ機能を有するメディアビューア２１０により表示される（スプラッシュされる）。また、広告コンテンツは、一つはメディア視聴・再生の前にスプラッシュされるもの（前スプラッシュ広告）、一つはメディア視聴・再生の後にスプラッシュされるもの（後スプラッシュ広告）の２つの形態を有する。前スプラッシュ広告と後スプラッシュ広告は一対の広告になっている（前後で同じ広告主、ブランド、商品等に統一されている。広告コンテンツ自体は同じであっても異なっていてもよい）。ただし、前スプラッシュ広告は、ユーザによるリンク先ＵＲＬの表示指示が不可であり、後スプラッシュ広告は、クリッカブルであり、ユーザによるリンク先ＵＲＬの表示指示が可能となっている。すなわち、後スプラッシュ広告時にユーザによるクリックによってリンク先ＵＲＬの表示指示が行われると、携帯電話機１０は、ブラウザを起動して指定のＵＲＬのコンテンツを取得して表示する。すなわち、ユーザはメディア視聴・再生の直前に広告をクリックしてサイトを閲覧することはないと考えられるので、メディア視聴・再生終了後のみクリック可能としている。また、前スプラッシュ広告は時間を短く（１秒程度）、後スプラッシュ広告は時間を長く（２〜３秒程度）してもよい。media: Center２００は、ＵＲＬがクリック可能な広告コンテンツを、クリック不可能なコンテンツに変換して、前スプラッシュ広告として再生させることもできる。
【００４１】
図５は、本発明の実施形態におけるmedia: Center２００が行う処理を示すフローチャートである。携帯電話機１０が「media:」を認識すると、media: Center２００が起動されて本処理がスタートする。
【００４２】
ステップＳ１０１では、メディアを視聴・表示する（メディアＯＮ）／しないをユーザに選択させるための選択画面を液晶ディスプレイ１１１に表示させる。ユーザによるメディアＯＮの指示があれば（ステップＳ１０２：ＹＥＳ）、ステップＳ１０３に進む。ユーザによるメディアＯＮの指示がなければ（或いは所定時間経過すると）、本処理は終了する。
【００４３】
ステップＳ１０３では、ＲＡＭ１０２或いはフラッシュメモリ１０３に蓄積された広告コンテンツの中からスプラッシュしようとする広告コンテンツを選択する。広告コンテンツは例えば配信されてきた順番に蓄積されており、古いものから順に選択される。また、広告コンテンツには、スプラッシュ時間帯等、様々な属性情報が付加されている。広告コンテンツの属性情報には、例えば、再生されるメディアのジャンル、携帯電話機１０のユーザの年齢等様々なものが考えられる。例えば広告コンテンツ選択（ステップＳ１０３）時に、スプラッシュ時間帯にマッチする広告コンテンツの中で最も古いものを選択するといった処理が行われる。広告コンテンツ選択後、ステップＳ１０４へ進む。
【００４４】
ステップＳ１０４では、選択された広告コンテンツのうちの前スプラッシュ広告を表示・再生（スプラッシュ）させる。広告コンテンツがＳＭＩＬで作成されている場合にはＳＭＩＬプレイヤ２４０を起動してスプラッシュさせる。広告コンテンツがＢＭＬで作成されている場合にはＢＭＬブラウザ機能を含むメディアビューア２１０を起動してスプラッシュさせる。広告コンテンツがその他の形式である場合にはそれぞれ対応するアプリケーションを起動させてスプラッシュさせる。
【００４５】
ステップＳ１０５では、「media:」により指定されたメディアのアプリケーションを起動させる。指定されたメディアがＴＶ等であればメディアビューア２１０を、ＳＭＩＬであればＳＭＩＬプレイヤ２４０をそれぞれ起動させる。なお、前スプラッシュ広告と指定されたメディアが同一のアプリケーションで再生・表示等が可能である場合は、ステップＳ１０５においてアプリケーションを起動させる必要がなく再生・表示の指示のみを行う。本処理はユーザがメディアの終了操作を行うまで待機する（ステップＳ１０６：ＮＯ）。ユーザの終了操作があれば（ステップＳ１０６：ＹＥＳ）、ステップＳ１０７へ進む。
【００４６】
ステップＳ１０７では、後スプラッシュ広告をスプラッシュさせる。前スプラッシュ広告と後スプラッシュ広告とはスプラッシュさせるアプリケーションが同一である。後スプラッシュ広告のスプラッシュ終了後にアプリケーションは終了する。ステップＳ１０８では、ステップＳ１０７における後スプラッシュ広告のスプラッシュ時にユーザによるクリック動作があったかどうかを判別する。クリックがなければ（ステップＳ１０８：ＮＯ）、どの広告コンテンツを「表示した」か、またどのメディアを「見た」かを示す情報をＲＡＭ１０２或いはフラッシュメモリ１０３に記憶させる（ステップＳ１０９）。後スプラッシュ広告のスプラッシュ時にクリックがあれば（ステップＳ１０８：ＹＥＳ）、どの広告コンテンツをいつ「表示した」か、「クリックした」か、及びどのメディアをいつ「見た」かを示す情報をＲＡＭ１０２或いはフラッシュメモリ１０３に記憶させる（ステップＳ１１０）。ステップＳ１１１では、「クリックした」ことによって指定されたＵＲＬを指定してブラウザを起動させる。ステップＳ１０９及びステップＳ１１１の処理終了後は本処理は終了する。
【００４７】
図５に示すmedia: Center２００の処理によれば、media: Center２００がメディアの再生・表示の前後に広告コンテンツを自動的にスプラッシュさせる。また、media: Center２００が広告コンテンツを所定の方法で選択する。また、media: Center２００が広告コンテンツを「表示した」「クリックした」、メディアを「見た」ことを示す情報をＲＡＭ１０２等に蓄積させる。したがって、携帯電話機１０は、従来より使用されている各アプリケーションを実質的に拡張することなく、media: Center２００を搭載するのみで、本発明の実施形態による情報提供システムを実現する端末装置となる。
【００４８】
図６は、図５に示すmedia: Center２００の処理の変形例を示すフローチャートである。携帯電話機１０が「media:」を認識すると、media: Center２００が起動されて本処理がスタートする。
【００４９】
ステップＳ２００では、「media:」により指定されたメディアコンテンツの開始時刻及び終了時刻を現在時刻と比較する。現在時刻がメディアコンテンツの開始時刻と終了時刻の間、若しくは開始時刻の直前（任意に設定可能）であれば（ステップＳ２００：now）、ステップＳ２０１へ進む。現在時刻が終了時刻を経過していれば（ステップＳ２００：past）、ステップＳ２１２へ進む。現在時刻がメディアコンテンツの開始時刻よりも早い場合（直前を除く、ステップＳ２００：early）、ステップＳ２１３へ進む。
【００５０】
ステップＳ２０１からステップＳ２１１の各ステップは、図５の実施形態に示すステップＳ１０１からステップＳ１１１と同様であるので、ここでの説明は省略する。ステップＳ２１２では、既にメディアコンテンツの放映・配信時間が終了していることをユーザに知らせるための画面を液晶ディスプレイ１１１に表示させる。その後、本処理は終了する。ステップＳ２１３では、メディアコンテンツの放映・配信時間がまだ訪れていないことをユーザに知らせるための画面を液晶ディスプレイ１１１に表示させ、録画予約等の選択をユーザに促す。その後、本処理は終了する。
【００５１】
本発明の他の実施形態による情報提供システムを説明する。図７は、他の実施形態による情報提供システムに使用する携帯電話機２０の機能ブロック図を示す。なお、図２と同じ構成要素には同じ参照符号を付して、重複した説明を省略する。
【００５２】
携帯電話機２０は、ＲＯＭ３０１、メモリカード部３０３を有し、他の機能は携帯電話機１０と同様である。ＲＯＭ３０１には、放送関連情報の一例としての広告コンテンツを表示する機能を有するブラウザであるビューアが格納されている。また、ＲＯＭ３０１には、デジタルＴＶ放送（１セグ放送）を視聴可能なアプリケーションも格納されている。このアプリケーションはＢＭＬを取得・表示可能なブラウザ機能も備えている。メモリカード部３０３は、カードスロット部と着脱可能なメモリカード部とを有し、カードスロット部がＣＰＵ１００や他の機能と接続されている。なお、メモリカード部３０３は、着脱不可能なフラッシュメモリ等であってもよい。
【００５３】
図８は、この情報提供システムを構成するネットワークについて説明するための図である。携帯電話機２０は放送局１４からのデジタル放送（１セグ放送）を受信する。１セグ放送では、映像・音声データ及びＢＭＬデータが送信されている。携帯電話機２０は基地局３１２を経由してネットワーク３１３に接続される。ネットワーク３１３は、図４に示したネットワーク１３と同様の機能を有する。番組関連情報ＤＢ３２１（放送関連副情報保持手段）は、携帯電話２０に簡易的に表示するための広告情報（放送関連情報の副情報）をデータベースとして有している。製品情報コンテンツサーバ３２２（放送関連情報保持手段）は、各メーカが提供する携帯電話向け広告コンテンツ（放送関連情報）を有している。
【００５４】
図９は、１セグ放送の視聴が行われるときの携帯電話機２０における処理を示すフローチャートである。ステップＳ３０１では１セグ放送を視聴するためのアプリケーションを起動する。本発明の実施形態では、ＢＭＬデータにより表示されるコンテンツは、ユーザがクリック操作可能なコンテンツである。図１０は、ＣＭ放映時の携帯電話機２０の液晶ディスプレイ１１１を示す。１１１aはＴＶ映像を表示する領域、１１１bはＢＭＬによるコンテンツを表示する領域である。ＢＭＬ表示領域１１１bには、ユーザがクリック選択可能な項目が表示されている。ユーザは携帯電話機２０の操作ボタンによる所定の操作によりクリック選択を行う。ＣＭ放映中にクリック選択が行われると（ステップＳ３０２：ＹＥＳ）、ステップＳ３０３へ進む。ＣＭ放映中にクリック選択が行われなければ（ステップＳ３０２：ＮＯ）、ステップＳ３０４に進む。
【００５５】
ステップＳ３０３では、クリック選択を行った時刻と、クリック選択を行ったＢＭＬコンテンツに含まれているＳＩＤをダウンロードし、メモリカード部３０３のメモリカード（或いは、ＲＡＭ１０２）へ記憶する。ＳＩＤは、所定のＩＤ番号であり、例えばテレビのチャンネル（放送局のＩＤ情報）に相当するものである。番組関連情報ＤＢ３２１には、時間とＳＩＤに関連付けられた簡易的な広告情報が蓄積されている。メモリカードへ記憶後（ステップＳ３０３）、ステップＳ３０２に戻り、他の時間帯のＣＭについてもクリックされたかどうか判定し（ステップＳ３０２）、タイムスタンプ及びＳＩＤをメモリカードへ順次蓄積していく。ＴＶを終了するまでステップＳ３０２の処理は繰り返される（ステップＳ３０４：ＮＯ）。ＴＶを終了すると（ステップＳ３０４：ＹＥＳ）、本処理は終了する。
【００５６】
図１１は、携帯電話機２０によりビューアを用いるときの処理を示すフローチャートである。ビューアが起動されると（ステップＳ４０１）、メモリカードに蓄積されている全てのタイムスタンプ及びＳＩＤのデータを呼び出す（ステップＳ４０２）。その後、番組関連情報ＤＢ３２１にアクセスして、タイムスタンプ及びＳＩＤに関連付けられている広告情報を取得する（ステップＳ４０３）。その取得した広告情報に基づいて液晶ディスプレイ１１１に表示させる。図１２は、ビューアにより表示された画面を示す。ＣＭリスト中の各項目にはそれぞれ、放映日時１１１c、テレビ局名１１１ｄ、広告主１１１e、商品・サービス名１１１fが表示される。すなわち、番組関連情報ＤＢ３２１が有する広告情報は、放映日時（タイムスタンプ）とテレビ局（ＳＩＤ）に関連付けられた広告主及び商品・サービス名のデータである。図１２に示すように、一画面に表示可能な数は（例えば３つ）限りがあるが、画面をスクロールさせることにより取得した広告情報を全て表示可能である。ユーザは所定の操作により所望の項目をクリックして選択することができる。
【００５７】
ステップＳ４０５では、ユーザによりクリック選択があったかどうかが判定される。クリックがあれば（ステップＳ４０５：ＹＥＳ）、ステップＳ４０６へ進む。クリックがなければ（ステップＳ４０５：ＮＯ）、ステップＳ４０８へ進む。ステップＳ４０６では、製品情報コンテンツサーバ３２２から、クリックされた項目に対応する製品情報のデータをダウンロードする。ダウンロード後、製品情報を液晶ディスプレイ１１１に表示する（ステップＳ４０７）。その後、操作部の戻るボタン等が操作されるとステップＳ４０４に戻り図１２の画面が再び表示される。ビューアを終了することで（ステップＳ４０８：ＹＥＳ）本処理は終了する。
【００５８】
図７から図１２に示す実施形態によれば、ＣＭ放映中に時刻情報及びＢＭＬに含まれるＳＩＤデータを蓄積しておくことにより、ユーザがあとから興味ある広告を見ることができる。また、ＴＶ起動中は比較的軽いデータをメモリカードに蓄積しておくことができるため、携帯電話のような記憶容量に制限のある機器には有効である。また、番組関連情報ＤＢ３２１及び製品情報コンテンツサーバ３２２のアクセス状況を監視することにより、ユーザが広告を「見た」「クリックした」等を広告主、キャリア、放送局が把握することができる。
【００５９】
なお、本実施形態において、ＣＭ放映中の処理について説明したが、番組放映中にクリックをする構成でもよい。例えば、番組中に紹介された商品・サービス等に関連する広告情報が提供される構成であってもよい。さらには、広告情報の他に、番組やＣＭに関連する情報（例えば、タレントの情報等）が提供される構成であってもよい。
【００６０】
したがって、本発明によれば、ＴＶ等のメディアを起動することに付随して通信側の収益の増加に貢献する情報提供システム及び端末装置を提供することができる。
【図面の簡単な説明】
【００６１】
【図１】本発明の実施形態の携帯電話機の外観図である。
【図２】本発明の実施形態の携帯電話機のハードウェア構成を示す機能ブロック図である。
【図３】アプリケーションの連携を説明するためのブロック図である。
【図４】情報提供システムを説明するためのネットワーク構成を示す図である。
【図５】media: Centerが行う処理を示すフローチャートである。
【図６】図５の変形例を示すフローチャートである。
【図７】本発明の他の実施形態の携帯電話機のハードウェア構成を示す機能ブロック図である。
【図８】情報提供システムを構成するネットワークについて説明するための図である。
【図９】携帯電話機における処理を示すフローチャートである。
【図１０】ＣＭ放映時の携帯電話機の液晶ディスプレイを示す図である。
【図１１】携帯電話機によりビューアを用いるときの処理を示すフローチャートである。
【図１２】ビューアにより表示された画面を示す図である。
【符号の説明】
【００６２】
１０，２０  携帯電話機
１２  基地局
１３  ネットワーク
１４  放送局
１６  広告配信サーバ
１８  メッセージ送信サーバ
２０  Ｗｅｂサーバ
２００  media: Center
２１０  メディアビューア
２２０  メーラー
２３０  ブラウザ
２４０  ＳＭＩＬプレイヤ
【図１】
0004680698.tif 000002
【図２】
0004680698.tif 000003
【図３】
0004680698.tif 000004
【図４】
0004680698.tif 000005
【図５】
0004680698.tif 000006
【図６】
0004680698.tif 000007
【図７】
0004680698.tif 000008
【図８】
0004680698.tif 000009
【図９】
0004680698.tif 000010
【図１０】
0004680698.tif 000011
【図１１】
0004680698.tif 000012
【図１２】
0004680698.tif 000013